(57)【特許請求の範囲】
【請求項１】
壁面や収納物体の側板等の支持部材に形成された掛止め孔に掛け止めするものであり、かつ、棚板を受け止める受け具本体と前記掛止め孔に係合する係合部と前記係合部を介して前記受け具本体に一体に設けられて前記支持部材の裏側に掛け止めすべき二つの掛止め片とから成る棚受け具であって、
前記係合部は、前記掛止め孔の内周面に対して周方向の角度変位を許しつつ前記内周面に弾力性をもって係合するものであり、
前記二つの掛止め片は、前記係合部の後部から上方に延びており、
前記棚受け具は、両上縁が間隔をあけて相対している
ことを特徴とする棚受け具。
【請求項２】
請求項１に記載の棚受け具であって、前記係合部は、前記掛止め孔と同じ曲率か又はほぼ同じ曲率の曲面部分を有することを特徴とする棚受け具。
【請求項３】
請求項１乃至２に記載の棚受け具であって、前記受け具本体、前記係合部及び掛止め片は、一枚の金属板を左右対称となるように曲げ加工して形成されていることを特徴とする棚受け具。
【発明の詳細な説明】
【技術分野】
【０００１】
本発明は、商品陳列台、家具の如き種々の棚付き収納物体の側板又は棚柱(以下側板と総称する)等の支持部材に着脱自在に取り付けられて棚板又はパイプハンガーの如き棚板に類したものが載置される棚受け具に関し、特に、側板の円形孔に着脱するのに好適な棚受け具に関するものである。
【背景技術】
【０００２】
棚付き収納物体は、一般に、棚板を受け止める受け具本体と、この受け具本体に収納物体の側板の掛止め孔を貫通する貫通部を介して設けられて収納物体の側板に掛け止めすべき掛止め片とから成る棚受け具を備えている（特許文献1及び２参照）。１対の棚受け具が収納物体の側板の相対する掛止め孔を通して掛け止めされ、棚板は、この１対の棚受け具の間に載せられる。
【０００３】
特許文献１（実開昭４８-８８２２１号公報）の棚受け具は、受け具本体（棚板接触部分３と称されているもの）の後方に連続して設けられ側板（軸受レール１と称されているもの）の掛止め孔(円孔１”と称されているもの)を貫通する貫通部（円形軸部５と称されているもの)とこの貫通部の後方に連続して設けられて側板の裏側に掛止めされる掛止め片(半円フランジ６と称されているもの)とから成っている。
【０００４】
この特許文献１に記載の棚受け具は、貫通部である円形軸部が掛止め孔の内周面に係合するので、安定した状態で側板に掛け止めすることができるが、貫通部は、単に、掛止め孔に貫通しているだけであるので、掛止め孔内で変位(周方向の角度変位)を生じる虞があり、また、その後方の掛止め片を掛止め孔の後方に潜らせるのが困難であり、着脱作業が面倒である欠点があった。
【０００５】
特許文献２（特許第４８９７９０２号公報）の棚受け具は、受け具本体３２の後方に扁平な貫通部を介して垂直に延びる掛止め片３４から成っている。受け具本体３２、貫通部及び掛止め片３４は、一枚の金属を折り畳んで成形して形成されているので、貫通部及び掛止め片３４は、扁平な形態を有する。
【０００６】
従って、この特許文献２の棚受け具は、同文献に示すように、矩形状の長孔の形態の掛止め孔を有する側板（棚柱２０と称されているもの）には好適に使用することができるが、円形孔の形態の掛止め孔を有する側板に使用すると、棚受け具を安定して掛け止めすることができない欠点があった。
【先行技術文献】
【特許文献】
【０００７】
【特許文献１】実開昭４８―８８２２１号公報
【特許文献２】特許第４８９７９０２号公報
【発明の概要】
【発明が解決しようとする課題】
【０００８】
本発明が解決しようとする課題は、収納物体の側板の掛止め孔が例えば円形又は部分円形の如く係合部（貫通部）が角度変位するような場合であっても安定した状態で掛け止めすることができ、また掛止め片を掛止め孔に容易に潜らせることができる棚受け具を提供することにある。
【課題を解決するための手段】
【０００９】
本発明の課題解決手段は、
壁面や収納物体の側板等の支持部材に形成された掛止め孔に掛け止めするものであり、かつ、棚板を受け止める受け具本体と前記掛止め孔に係合する係合部と前記係合部を介して前記受け具本体に一体に設けられて前記支持部材の裏側に掛け止めすべき二つの掛止め片とから成る棚受け具であって、
前記係合部は、前記掛止め孔の内周面に対して周方向の角度変位を許しつつ前記内周面に弾力性をもって係合するものであり、
前記二つの掛止め片は、前記係合部の後部から上方に延びており、
前記棚受け具は、両上縁が間隔をあけて相対している
ことを特徴とする棚受け具を提供することにある。
【００１０】
本発明の課題解決手段において、前記係合部は、前記掛止め孔と同じ曲率か又はほぼ同じ曲率の曲面部分を有することができる。
【００１１】
本発明の課題解決手段において、前記受け具本体、係合部及び掛止め片は、一枚の金属板を左右対称となるように曲げ加工して形成されていることができる。
【発明の効果】
【００１２】
本発明の棚受け具は、係合部が前記掛止め孔の内面に弾力性をもって係合するので、棚受け具を支持部材に安定して保持することができる。
【図面の簡単な説明】
【００１３】
【図１】本発明の１つの実施の形態による棚受け具を示し、同図（Ａ１）（Ａ２）は、上方左右から俯瞰した斜視図、同図（Ｂ１）（Ｂ２）は、下方左右から俯瞰した斜視図である。
【図２】同図（Ａ）（Ｂ）は、それぞれ、図１の棚受け具の正面図及び背面図である。
【図３】同図（Ａ）（Ｂ）は、それぞれ、図１の棚受け具の右側面図及び左側面図である。
【図４】同図（Ａ）（Ｂ）は、それぞれ、図１の棚受け具の上面図及び下面図である。
【図５】同図（Ａ）（Ｂ）（Ｃ）（Ｄ）は、それぞれ、図３（Ａ）の５Ａ−５Ａ線断面図、図２（Ｂ）の５Ｂ−５Ｂ線断面図、図２（Ａ）の５Ｃ−５Ｃ線断面図、図２（Ａ）の５Ｄ−５Ｄ線断面図である。
【図６】図１の棚受け具を側板の掛止め孔に掛け止めする動作を順次示す棚受け具の斜視図である。
【図７】図６の順序と同じ順序で図１の棚受け具を掛止め孔に掛止めする動作を順次示す側板の断面図である。
【図８】図１の棚受け具の使用状態を示し、同図（Ａ）は、その全体斜視図、同図（Ｂ）は、その一部を拡大して下方から俯瞰した状態の斜視図である。
【発明を実施するための形態】
【００１４】
本発明の実施の形態を図面を参照して詳細に述べると、図１は、本発明の１つの実施の形態による棚受け具１０を示し、この棚受け具１０は、図８に示すように、収納物体１の側板２の少なくとも一部に円形部分を有する掛止め孔３を通して側板２に掛け止めするものであり、棚板４(図８Ａ、図８Ｂ参照)又はそれに類したハンガーパイプ４Ｐ（図８Ａ参照）の如きもの(以下棚板４等と称する)を受け止める受け具本体２０と掛止め孔３を貫通してこの掛け止め孔３の内面に係合する係合部３０とこの係合部３０を介して受け具本体２０に一体に設けられて掛止め孔３を介して側板２の裏面２Ｂに掛け止めすべき掛止め片４０とから成っている。この棚受け具１０は、金属又は樹脂製のいずれでもよい。
【００１５】
図示の形態では、棚受け具１０は、金属板を打ち抜き加工した後折り曲げ成形して受け具本体２０、係合部３０及び掛止め片４０が一体に形成されている。
【００１６】
受け具本体２０は、両上縁２０Ｅが間隔をあけて相対するようにして折り曲げ形成され、図１及び図３から解るように、両面が垂直に延び、上下面が円弧状であるような略卵型の横断面を有する。この受け具本体２０は、間隔をあけて上縁２０Ｅを跨る上面で棚板４等を受け止めるようになっている。図示の形態では、受け具本体２０は、下面の中央部に正面から見て半円形の切欠き２０Ｎを有し(図５（Ａ）（Ｂ）参照)、この切欠き２０Ｎは、後に述べるように、係合部３０及び掛止め片４０を窄めるのを容易にするために受け具本体２０に弾力性を付与するためのものである。
【００１７】
掛止め片４０は、図７に示すように、掛止め孔３の内周面に係合する係合部３０の後方で側板２の裏面２Ｂに係合するように係合部３０から上方に垂直に延びる係合片部４０Ｕとこの係合片部４０Ｕの下方部分４０Ｌの両側に突出して延びて掛止め片４０が掛止め孔３４から抜け出すのを抑制するように延びる１対の抜止め用突起部分４０Ｐとを有する。
【００１８】
本発明の棚受け具１０は、係合部３０に掛止め孔３の内周面（円形部分）に係合することができるようにこの掛止め孔と同じ曲率か又はほぼ同じ曲率の曲面部分３０Ｃ(図５Ｃ参照)を有し、この曲面部分３０Ｃは、棚受け具１０を掛止め孔３に安定して着座して棚受け具１０を保持する機能を有する。
【００１９】
図示の形態では、係合部３０の曲面部分３０Ｃは、図５（Ｃ）から解るように、受け具本体２０の略上半部に相応する形態を有し、また掛止め片４０の下方部分４０Ｌは、特に、図１、図３（Ｂ）及び図５（Ｄ）から解るように、係合部３０の曲面部分３０Ｃと同様に、受け具本体２０の略上半部に相応する形態の曲面部分４０ＬＣとなっている。従って、受け具本体２０の上半部と係合部３０と掛止め片４０の下方部分４０Ｌとは、同じ曲面を有する状態で連続している。
【００２０】
また、本発明の棚受け具１０は、受け具本体２０と係合部３０の曲面部分３０Ｃと掛止め片４０の下方部分４０Ｌ(曲面部分４０ＬＣ)とは、内向きに撓むことができる弾力性を有する。従って、棚受け具１０の係合部３０は、掛止め孔３の内周面に対して周方向の角度変位を許しつつ掛け止め孔３の内周面に弾力性をもって係合する。この弾力性は、既に述べたように、棚受け具１０全体を１枚の金属板の打ち抜き折り曲げ加工によって得られる。図面から解るように、受け具本体２０、係合部３０及び掛止め片４０は、左右対称に曲げ加工して形成されている。なお、この弾力性は、棚受け具１０が樹脂製であっても樹脂自体の弾力性によって保持することができる。
【００２１】
図１、図５（Ａ）、図７から解るように、棚受け具１０は、受け具本体２０の後方部分と係合部３０の全長に亘ってその上面に切欠き２３を有し、この切欠き２３は、掛止め片４０を側板２の掛止め孔３に潜らせるのを容易にするためのものである。
【００２２】
次に、図示の棚受け具１０の使用状態を図６乃至図８を参照して述べる。図８に示すように、棚受け具１０は、収納物体１の側板２の所定位置の掛止め孔３に掛止め片４の上端側から差し込んで側板２に掛止めする。図示の例では、側板２は、図７に示すように、間隔をあけて一体にされた内外の２つの壁板２１、２２から成っており、掛止め孔３は、内側の壁板２１の前後に多段に形成されている。なお、この側板が１枚の壁板から成っている場合には、多段の掛止め孔を有する中空棚柱を壁板の内面に取り付けていてもよい。
【００２３】
図６及び図７は、側板２の４つの異なる段の掛止め孔３にそれぞれ４つの棚受け具１０が異なる状態で示されているが、これは、棚受け具１０が上から下に向けて順次掛止め孔３を潜り抜ける状態を便宜的に異なる段の掛止め孔３に表示して理解を容易にしたものであり、実際には、１つの掛止め孔３に同じ棚受け具１０が図６及び図７の上から下に向けた状態に変化しつつ掛止め孔３に順次潜り抜けることを理解すべきである。
【００２４】
図６及び図７に示すように、棚受け具１０は、先ず、掛止め片４０の先端から掛止め孔３に差込むが（上の２段参照）、その後、受け具本体２０を指で押し潰して係合部３０及び掛止め片４０の下方部分４０Ｌを縮径するように窄めて切欠き２３を掛止め孔３の上縁に係合し左右に傾けながら係合部３０が掛止め孔３を貫通してこの掛け止め孔３の内周面に係合し、且つ掛止め片４０が側板３の内壁板３１の内面(裏面)に係合するように掛止め片４０を側板３の内外の壁板３１、３２間の空間内に差し込む。掛止め孔３を潜り抜ける際に、棚受け具１０を左右に傾ける理由は、抜け止め用の抜け止め用突起部分４０Ｐが掛止め孔３を潜り抜けることができるようにするためである。
【００２５】
このようにして、図７の最下段に示すように、棚受け具１０が掛止め孔３を貫通して掛け止めされると、棚受け具１０の弾力性によって半円形の係合部３０が掛止め孔３の上半部の内周面に弾性的に係合し、棚受け具１０が安定して側板２に掛止めされる。従って、同じ段の前後の掛止め孔に棚受け具１０を掛止めすることによって、図８（Ａ）の上下に示すように、パイプハンガー４Ｐや棚板４を受け止めすることができる。パイプハンガー４Ｐは、前後の棚受け具１０に受け止める左右の受止めパイプ４ＰＳと左右の受止めパイプ４ＰＳの間に固定されたハンガーパイプ４ＰＨとから成っているのが示されている。
【００２６】
上記実施の形態では、受け具本体２０の上半部と係合部３０と掛止め片４０の下半部４０Ｌとは、ほぼ同じ曲面を有するように湾曲して形成されており、このようにすると、受け具本体２０を指で加圧しながら貫通部３０、掛止め片４０の下部分４０Ｌを窄めることができて操作上好ましい上に、製作も容易となって好ましいが、これらのすべてが必ずしも同じ曲面を有することに限定される必要はないが、少なくとも、貫通部３０に掛止め孔３の内周面の円形部分に係合することができる曲面を有すればよく、受け具本体２０及び掛止め片４０の下半部４０Ｌは曲面でなくてもよい。また、掛止め孔３は、図示の形態では円形であるが(図８（Ｂ）参照)、これは、例えば、上縁に円形部分がある細長の形態でもよく、必ずしも完全円形である必要はない。
【産業上の利用可能性】
【００２７】
本発明によれば、棚受け具は、掛止め孔を通して収納物体の側板に安定した状態で掛止めすることができる上に、掛止め孔に容易に差し込むことができ、高い産業上の利用可能性を有する。
【符号の説明】
【００２８】
１  収納物体
２  側板
２Ｂ  裏面
３  掛止め孔
４  棚板
４Ｐ  パイプハンガー
４ＰＳ  受止めパイプ
４ＰＰ  ハンガーパイプ
１０  棚受け具
２０  受け具本体
２０Ｅ  上縁
２０Ｎ  切欠き
３０  係合部
３０Ｃ  曲面部分
４０  掛止め片
４０Ｕ  係合片部
４０Ｌ  下半部
４０ＬＣ  曲面部分
４０Ｐ  突起部分
【図１】
0006465609.tif 000002
【図２】
0006465609.tif 000003
【図３】
0006465609.tif 000004
【図４】
0006465609.tif 000005
【図５】
0006465609.tif 000006
【図６】
0006465609.tif 000007
【図７】
0006465609.tif 000008
【図８】
0006465609.tif 000009